(57)【要約】【課題】  この発明は、誤って、通信設定等の変更を行った場合でも通信の復帰が行える装置を提供することを目的とする。【解決手段】  この発明の監視機器制御装置は、複数台の監視カメラ１０ａを離れた箇所から制御する監視機器制御装置において、監視カメラ１０ａはＲＳ４８５信号線２でシリーズに接続され、監視カメラに通常使用する通信ポート２２とは異なるリセット用通信ポート２１を設け、制御装置１からＲＳ４８５信号線２を介して予め取り決められた通常通信に使わない信号がリセット用ポート２１から入力されると、制御回路１１が監視カメラ１０ａの設定をリセットする。【選択図】  図２
2006287372.tif 000002
【特許請求の範囲】
【請求項１】
複数台の監視機器を離れた箇所から制御する監視機器制御装置において、前記監視機器は通信回線でシリーズに接続され、前記監視機器に通常使用する通信ポートとは異なるリセット用通信ポートを設け、前記通信回線を介して予め取り決められた通常通信に使わない信号が前記リセット用ポートから入力されると前記監視機器がリセットされることを特徴とする監視機器制御装置。
【請求項２】
前記監視機器は、監視カメラであることを特徴とする請求項１に記載の監視機器制御装置。
【請求項３】
前記監視機器は、監視カメラとこの監視カメラと伝送線により接続された映像信号を記録する記録装置と、からなり、前記監視カメラに通常使用する通信ポートとは異なるリセット用通信ポートを設け、前記通信回線からの制御信号は前記記録装置に与えられ、前記記録装置から前記伝送線による同軸重畳通信により制御信号を伝送することを特徴とする請求項１に記載の監視機器制御装置。
【発明の詳細な説明】
【技術分野】
【０００１】
この発明は、複数台の監視機器を遠隔地より制御する監視機器制御装置に関し、特に、ＲＳ４８５方式を用いて複数台の監視カメラの制御に好適な監視機器制御装置に関する。
【背景技術】
【０００２】
従来、各種施設、設備等に複数台の監視カメラを設置してモニタでそれぞれの現場を監視し、これら監視カメラを遠隔から選択または動作させるようなシステムがある。
【０００３】
これらシステムにおいては、監視カメラを遠隔地など離れたところから制御するため、監視カメラと制御装置とがネットワークで接続され、制御装置から監視カメラを制御している。この通信方式としては、色々な方式があるが、ＲＳ４８５方式を用いて通信させるものが知られている。このＲＳ４８５方式では、最長１２００ｍｍの１筆書き配線により、機器を接続することができる。
【０００４】
このように、遠隔地の監視カメラや記録装置など様々な監視機器をＲＳ４８５などの通信線で接続することで、設置場所まで行かなくても通信線に接続された操作装置（制御装置）があれば、一定の場所で監視機器の制御あるいは設定値の変更などが容易に行える。
【０００５】
なお、監視カメラのパン、チルトなどを制御する制御信号をＲＳ４８５信号を用いて行う監視カメラ装置は知られている（例えば、特許文献１参照）。
【特許文献１】特開２０００−８３１８１号公報
【発明の開示】
【発明が解決しようとする課題】
【０００６】
従来のＲＳ４８５通信や同軸重畳通信では、誤って通信モードの切り替えや通信速度の変更を行った場合には、変更後の設定でしか通信できなくなるため、制御線の接続状況によっては、全く操作ができない状況に陥る場合があった。
【０００７】
そこで、この発明は、上記従来の問題点に鑑みなされたものにして、誤って、通信設定等の変更を行った場合でも通信の復帰が行える装置を提供することを目的とする。
【課題を解決するための手段】
【０００８】
この発明の監視機器制御装置は、複数台の監視機器を離れた箇所から制御する監視機器制御装置において、前記監視機器は通信回線でシリーズに接続され、前記監視機器に通常使用する通信ポートとは異なるリセット用通信ポートを設け、前記通信回線を介して予め取り決められた通常通信に使わない信号が前記リセット用ポートから入力されると前記監視機器がリセットされることを特徴とする。
【０００９】
前記監視機器は、監視カメラであることを特徴とする。
【００１０】
また、この発明は、前記監視機器は、監視カメラとこの監視カメラと伝送線により接続された映像信号を記録する記録装置と、からなり、前記監視カメラに通常使用する通信ポートとは異なるリセット用通信ポートを設け、前記通信回線からの制御信号は前記記録装置に与えられ、前記記録装置から前記伝送線による同軸重畳通信により制御信号を伝送するように構成できる。
【発明の効果】
【００１１】
上記した構成によれば、通信速度や元の機器の設定に依存せずにリセット用の信号を送ることができ、復帰動作が簡単に行える。
【発明を実施するための最良の形態】
【００１２】
この発明の実施の形態について図面を参照しながら詳細に説明する。なお、図中同一または相当部分には同一符号を付し、説明の重複を避けるためにその説明は繰返さない。
【００１３】
図１は、この発明が適用される監視装置の概要を示す構成図である。図１に示すように、モニタ、操作装置等を含む制御装置１から、監視カメラや記録装置など監視機器１０がＲＳ４８５からなる通信線２で一筆書きの配線で接続されている。制御装置１から各種監視機器１０をＲＳ４８５信号に基づく制御信号を通信線２を介して与えることで、各種監視機器１０の制御や設定等を変更することができる。
【００１４】
図２は、この発明に用いられる監視機器１０としての監視カメラ１０ａの構成を示すブロック図である。この監視カメラ１０ａは、レンズやＣＣＤ撮像素子等を含む撮像制御部１２、オートフォーカスやズーミングなどを行うレンズ制御部１３、チルトモータを制御するチルト制御部１４、パンモータを制御するパン制御部１５を備える。撮像制御部１２、レンズ制御部１３、チルト制御部１４、パン制御部１５は、マイクロコンピュータで構成される制御回路１１により制御される。撮像制御部１２で撮像された映像信号は映像信号処理部１６に与えられ、所定の映像信号に適正化され出力される。出力された映像信号は図示しない同軸ケーブルや光ケーブルを介して、制御装置１に送られ、制御装置１のモニタに映像が表示される。また、映像信号は、ハードディスクレコーダやビデオテープレコーダなどの記録装置にも与えられ、当該記録装置に映像が記録される。
【００１５】
更に、この発明の監視カメラ１０ａは、ＲＳ４８５信号線が接続されるコネクタ１８が設けられている。そして、このコネクタ１８は送受信回路１７と接続されている。
【００１６】
コネクタ１８にＲＳ４８５信号線が接続され、制御装置１より制御信号等が送られてくると、コネクタ１８から送受信回路１７を経て制御回路１１の通信ポート２２に入力される。そして、制御信号に基づき制御回路１１は、パン、チルト等の動作を制御する。また、制御装置１等に信号を出力する場合には、制御回路１１から通信ポート２２、送受信回路１７、コネクタ１８を経てＲＳ４８５信号線２に出力される。
【００１７】
例えば、制御装置１より、カメラを右に向ける信号がＲＳ４８５信号線をから監視カメラ１０ａのコネクタ１８、送受信回路１７、通信ポート２２から制御回路１１に与えられる。この信号に従い制御回路１１はパン制御部１５を制御し、カメラを右に向ける。そして、制御回路１１からは、カメラを右に向けたことを示す信号を通信ポート２２、送受信回路１７、コネクタ１８を介してＲＳ４８５信号線２に出力する。制御装置１は、この監視カメラ１０ａからの信号を受け取り、監視カメラ１０ａの状態を把握する。
【００１８】
さて、この発明では、通常の通信ポート２２とは、異なるリセット用通信ポート２１を設けている。このリセット用通信ポート２１は、送受信回路１７と接続される。すなわち、送受信回路１７から与えられるＲＳ４８５信号は、通信ポート２２とリセット用ポート２１に与えられることになる。
【００１９】
そして、通常通信では使わない信号、例えば、ハイ（Ｈ）、ロー（Ｌ）の信号のうち、通常では使わない程度の長いハイ期間、またはロー期間のパルス信号をリセット信号として用いる。このような信号がＲＳ４８５信号線２から送られてくると、コネクタ１８，送受信回路１７を経て、通信ポート２２、リセット用通信ポート２１にそれぞれ与えられる。通信ポート２２では、与えられる信号が通常の制御信号ではないと判断され、破棄される。一方、リセット用通信ポート２１では、リセット用の信号と判断する。このリセット用信号と判断すると、制御回路１１は、監視カメラ１０ａの各種モードを初期設定に復帰させる。
【００２０】
例えば、誤って監視カメラ１０ａの通信速度設定を切り替えると、監視カメラ１０ａは通信不能になる。これを制御装置１によって、復帰させようとすると、一旦制御装置１の通信速度設定を誤って設定した監視カメラ１０ａの通信速度に設定し、カメラの通信速度設定を元に戻した後、制御差装置１を元の通信速度設定に合わせて通信を行わなければならない。このように、復帰のための作業は煩雑である。監視カメラ１０ａの数が多くなれば、その復旧に非常に多くの時間がかかる。
【００２１】
これに対して、この発明では、通常では使わない程度の長いハイ期間、またはロー期間のパルス信号をＲＳ４８５信号線２に制御装置１から出力するだけで、瞬時に初期モードに復帰させることができる。このように、この発明によれば、通信速度に依存する必要もなく、元の機器の設定にも依存せずにリセット用の信号を送ることができ、リセット動作が行える。
【００２２】
図３は、この発明の他の実施形態を示すブロック図である。この図３に示す実施形態は、監視カメラ１０ａと記録装置１０ｂとがそれぞれＲＳ４８５信号が与えられる。そして、監視カメラ１０ａと記録装置１０ｂとはコネクタ２４を介して同軸ケーブル２４で接続されている。
【００２３】
記録装置１０ｂは、この発明における監視機器１０の１つであり、ハードディスクレコーダやビデオテープレコーダで構成される。この例では、ハードディスクレコーダで構成した。この記録装置１０ｂも監視カメラ１０ａと同様に、ＲＳ４８５信号の入出力のため、コネクタ１８、送受信回路１７、通信ポート２２、リセット用通信ポート２１を備える。マイクロコンピュータなどからなる制御回路３１に各種制御信号等が与えられる。制御回路３１は、同軸ケーブル２４，コネクタ２５から入力された映像信号をＭＰＥＧ等の符号化処理を行い、ハードディスクで構成された記憶装置３２に格納する。
【００２４】
通常では使わない程度の長いハイ期間、またはロー期間のパルス信号をＲＳ４８５信号線２からコネクタ１８、送受信回路１７を経て、通信ポート２２、リセット用通信ポート２１にそれぞれ与えられると、通信ポート２２では、与えられる信号が記録装置１０ｂの制御信号ではないと判断され、破棄される。一方、リセット用通信ポート２１では、リセット用の信号と判断する。このリセット用信号と判断すると、制御回路３１は、記録装置１０ｂの各種モードを初期設定に復帰させる。
【００２５】
図４は、この発明の更に他の実施形態を示すブロック図である。この図４に示す実施形態は、監視カメラ１０ｃには、ＲＳ４８５信号が入力されずに、同軸ケーブル２４に制御信号を同軸重畳させて送るものである。制御装置１と記録装置１０ｄとＲＳ４８５信号線２で接続されている。
【００２６】
記録装置１０ｄと監視カメラ１０ｃは、同軸重畳制御信号の受信回路３７，送信回路３８を備え、同軸重畳制御信号を用いてお互いを制御することができる。
【００２７】
更に、記録装置１０ｄは、ＲＳ４８５信号と同軸重畳制御信号の変換回路３６を備えている。このように構成することで、監視カメラ１０ｃと記録装置１０ｄとの間にＲＳ４８５接続がなくても制御装置１と記録装置１０ｄの間がＲＳ４８５接続が行われていると、制御装置１と、記録装置１０ｄ、監視カメラ１０ｃは互いに制御することができる。同軸重畳制御信号は、例えば、映像信号のブランク期間に重畳させればよい。
【００２８】
この図４に示すような接続形態の場合、誤ってカメラの通信設定をＲＳ４８５モードに切り替えると、カメラは通信不能となる。これを復帰させようとすると、従来は、監視カメラ設置している場所まで行き、カメラにＲＳ４８５通信線を接続し、同軸重畳モードに切り替える必要があった。これに対して、この発明では、通常では使わない程度の長いハイ期間、またはロー期間のパルス信号をリセット信号としてＲＳ４８５通信で記録装置１０ｄに送ることで、監視カメラ１０ｃも初期状態にリセットさせ、通信を復帰させることができる。
【００２９】
なお、上記した実施形態においては、通信線２として、ＲＳ４８５信号線を用いたが、これに限らず、ブロードバンド通信が行えるものであればよい。
【００３０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００３１】
防犯や工場等の施設の運転、保守管理などの監視システムに用いることができる。
【図面の簡単な説明】
【００３２】
【図１】この発明が適用される監視装置の概要を示す構成図である。
【図２】この発明に用いられる監視機器としての監視カメラの構成を示すブロック図である。
【図３】この発明の他の実施形態を示すブロック図である。
【図４】この発明の更に他の実施形態を示すブロック図である。
【符号の説明】
【００３３】
１  制御装置
２  ＲＳ４８５信号線
１０  監視機器
１０ａ、１０ｃ  監視カメラ
１０ｂ、１０ｓ  記録装置
１１  制御回路
１２  撮像制御部
１３  レンズ制御部
１４  チルト制御部
１５  パン制御部
１７  送受信回路
１８  コネクタ
２１  リセット用通信ポート
２２  通信ポート
【図１】
2006287372.tif 000003
【図２】
2006287372.tif 000004
【図３】
2006287372.tif 000005
【図４】
2006287372.tif 000006